【手続補正書】
【提出日】平成30年3月13日(2018.3.13)
【手続補正１】
【補正対象書類名】明細書
【補正対象項目名】００１２
【補正方法】変更
【補正の内容】
【００１２】
本発明による撮像レンズは、光軸近傍で物体側に凸面を向けたメニスカス形状で正の屈折力を有する第１レンズと、光軸近傍で像側に凹面を向けた負の屈折力を有する第２レンズと、光軸近傍で像側に凹面を向けた両面が非球面で正の屈折力を有する第３レンズと、光軸近傍で物体側に凹面を向けたメニスカス形状で正の屈折力を有する第４レンズと、両面が非球面の第５レンズと、光軸近傍で像側に凹面を向けたメニスカス形状で両面が非球面で負の屈折力を有する第６レンズとから構成され、以下の条件式（１）、（２）および（７）を満足する。
（１）０．６＜Σｄ／ｆ＜１．０
（２）０．５＜（Ｔ１／ｆ）＊１００＜２．０
（７）２．０＜（Ｔ５／ｆ）＊１００＜８．０
ただし、Σｄは第１レンズの物体側の面から第６レンズの像側の面までの光軸上の距離、ｆは全系の焦点距離、Ｔ１は第１レンズの像側の面から第２レンズの物体側の面までの光軸上の距離、Ｔ５は第５レンズの像側の面から第６レンズの物体側の面までの距離である。

【手続補正２】
【補正対象書類名】明細書
【補正対象項目名】００１３
【補正方法】変更
【補正の内容】
【００１３】
第１レンズは、正の屈折力に設定されている。第１レンズは、６枚で構成される撮像レンズのなかで比較的強い正の屈折力に設定されることで、より撮像レンズの低背化と広角化が図られる。
【手続補正３】
【補正対象書類名】明細書
【補正対象項目名】００１８
【補正方法】変更
【補正の内容】
【００１８】
第６レンズは、低背化を維持しながらバックフォーカスを確保する。また、両面に形成された非球面によって、像面湾曲補正、歪曲収差補正、撮像素子への光線入射角度の制御を担う。また、像側の面は、光軸から離れた位置で凸面に変化するような非球面形状に形成することが望ましい。すなわち、像側の面は、光軸上以外の位置に極点を有していることが望ましい。このような形状にすることによって、撮像面への光線入射角度を適切に制御することが可能となる。（ここでいう極点とは、接平面が光軸に対して垂直に交わる非球面上の点を意味する。）
【手続補正４】
【補正対象書類名】明細書
【補正対象項目名】００２５
【補正方法】変更
【補正の内容】
【００２５】
（ｉ）上記構成の撮像レンズは、条件式（１）を満足することで、撮像レンズの低背化が図られる。
【手続補正５】
【補正対象書類名】明細書
【補正対象項目名】００２６
【補正方法】削除
【補正の内容】
【手続補正６】
【補正対象書類名】明細書
【補正対象項目名】００４１
【補正方法】変更
【補正の内容】
【００４１】
（ｘ）また、上記構成の撮像レンズにおいて、第４レンズの像側の面から第５レンズの物体側の面までの光軸上の距離をＴ４、全系の焦点距離をｆとしたとき、以下の条件式（６）を満足することが望ましい。
（６）０．２＜（Ｔ４／ｆ）＊１００＜４．０
【手続補正７】
【補正対象書類名】明細書
【補正対象項目名】００８３
【補正方法】変更
【補正の内容】
【００８３】
第６レンズＬ６は、光軸Ｘの近傍で像側凹面を向けたメニスカス形状のレンズである。第６レンズＬ６は、低背化を維持しながらバックフォーカスを確保している。また、両面に形成された非球面によって、像面湾曲補正、歪曲収差補正、撮像素子への光線入射角度の制御を担っている。また、像側の面は、光軸Ｘの近傍では凹面だが、光軸Ｘから離れた位置では凸面に変化する非球面形状に形成されている。また、物体側の面は、光軸Ｘの近傍では凸面だが、光軸Ｘから離れるに従って凹面に変化しさらに有効径の周縁部で凸面に変化するような非球面形状に形成されている。
【手続補正８】
【補正対象書類名】明細書
【補正対象項目名】０１４０
【補正方法】変更
【補正の内容】
【０１４０】
表６に実施例１から５に係る条件式（１）から（１８）、および条件式（ａ）から（ｃ）の値を示す。
【手続補正９】
【補正対象書類名】明細書
【補正対象項目名】０１４１
【補正方法】変更
【補正の内容】
【０１４１】
【表６】
2017187565.tif 000001
【手続補正１０】
【補正対象書類名】特許請求の範囲
【補正対象項目名】全文
【補正方法】変更
【補正の内容】
【特許請求の範囲】
【請求項１】
物体側から像側に向かって順に、光軸近傍で物体側に凸面を向けたメニスカス形状で正の屈折力を有する第１レンズと、光軸近傍で像側に凹面を向けた負の屈折力を有する第２レンズと、光軸近傍で像側に凹面を向けた両面が非球面で正の屈折力を有する第３レンズと、光軸近傍で物体側に凹面を向けたメニスカス形状で正の屈折力を有する第４レンズと、両面が非球面の第５レンズと、光軸近傍で像側に凹面を向けたメニスカス形状で両面が非球面で負の屈折力を有する第６レンズとから構成され、以下の条件式（１）、（２）、および（７）を満足することを特徴とする撮像レンズ。
（１）０．６＜Σｄ／ｆ＜１．０
（２）０．５＜（Ｔ１／ｆ）＊１００＜２．０
（７）２．０＜（Ｔ５／ｆ）＊１００＜８．０
ただし、
Σｄ：第１レンズの物体側の面から第６レンズの像側の面までの光軸上の距離
ｆ：全系の焦点距離
Ｔ１：前記第１レンズの像側の面から第２レンズの物体側の面までの光軸上の距離
Ｔ５：第５レンズの像側の面から前記第６レンズの物体側の面までの光軸上の距離
【請求項２】
以下の条件式（３）を満足することを特徴とする請求項１に記載の撮像レンズ。
（３）０．５＜ｒ４／ｆ＜１．５
ただし、
ｒ４：第２レンズの像側の面の曲率半径
【請求項３】
前記第３レンズは光軸近傍で物体側に凸面を向けたメニスカス形状であることを特徴と
する請求項１に記載の撮像レンズ。
【請求項４】
前記第５レンズは、光軸近傍で物体側の面および像側の面がともに平面であることを特
徴とする請求項１に記載の撮像レンズ。
【請求項５】
前記第２レンズは、ｄ線における屈折率が１．６４より大きくかつ１．７０より小さい
ことを特徴とする請求項１に記載の撮像レンズ。
【請求項６】
前記第３レンズ、前記第４レンズおよび前記第５レンズのうち、少なくとも１つのレン
ズはｄ線における屈折率が１．６４よりも大きくかつ１．７０よりも小さいことを特徴と
する請求項５に記載の撮像レンズ。
【請求項７】
以下の条件式（４）を満足することを特徴とする請求項１に記載の撮像レンズ。
（４）ＴＴＬ／２ｉｈ≦０．８
ただし、
ＴＴＬ：第１レンズの物体側の面から撮像面までの光軸上の距離
ｉｈ：最大像高
【請求項８】
以下の条件式（５）を満足することを特徴とする請求項１に記載の撮像レンズ。
（５）０．４＜Ｔ２／Ｔ３＜１．５
ただし、
Ｔ２：第２レンズの像側の面から第３レンズの物体側の面までの光軸上の距離
Ｔ３：第３レンズの像側の面から第４レンズの物体側の面までの光軸上の距離
【請求項９】
以下の条件式（６）を満足することを特徴とする請求項１に記載の撮像レ
ンズ。
（６）０．２＜（Ｔ４／ｆ）＊１００＜４．０
ただし、
Ｔ４：第４レンズの像側の面から前記第５レンズの物体側の面までの光軸上の距離
【請求項１０】
以下の条件式（８）を満足することを特徴とする請求項１に記載の撮像レンズ。
（８）−０．７＜ｆ１／ｆ２＜−０．１５
ただし、
ｆ１：第１レンズの焦点距離
ｆ２：第２レンズの焦点距離
【請求項１１】
以下の条件式（９）を満足することを特徴とする請求項１に記載の撮像レンズ。
（９）−４．５＜ｆ２／ｆ＜−１．２
ｆ２：第２レンズの焦点距離
【請求項１２】
以下の条件式（１０）を満足することを特徴とする請求項１に記載の撮像レンズ。
（１０）３．０＜ｆ３／ｆ
ただし、
ｆ３：第３レンズの焦点距離
【請求項１３】
以下の条件式（１１）を満足することを特徴とする請求項１に記載の撮像レンズ。
（１１）０．５＜ｆ４／ｆ＜１０．０
ただし、
ｆ４：第４レンズの焦点距離
【請求項１４】
以下の条件式（１２）を満足することを特徴とする請求項１に記載の撮像レンズ。
（１２）−２．５＜ｆ６／ｆ＜−０．５
ただし、
ｆ６：第６レンズの焦点距離
【請求項１５】
以下の条件式（１３）を満足することを特徴とする請求項１に記載の撮像レンズ。
（１３）０．０７＜ｒ１／ｒ２＜０．３５
ただし、
ｒ１：第１レンズの物体側の面の曲率半径
ｒ２：第１レンズの像側の面の曲率半径
【請求項１６】
以下の条件式（１４）を満足することを特徴とする請求項１に記載の撮像レンズ。
（１４）０．８＜ｒ７／ｒ８＜３．５
ただし、
ｒ７：第４レンズの物体側の面の曲率半径
ｒ８：第４レンズの像側の面の曲率半径
【請求項１７】
以下の条件式（１５）を満足することを特徴とする請求項１に記載の撮像レンズ。
（１５）１．５＜ｒ１１／ｒ１２＜４．０
ただし、
ｒ１１：第６レンズの物体側の面の曲率半径
ｒ１２：第６レンズの像側の面の曲率半径
【請求項１８】
以下の条件式（１６）および（１７）を満足することを特徴とする請求項１に記載の撮像レンズ。
（１６）３０＜νｄ１−νｄ２
（１７）３０＜｜νｄ３−νｄ４｜
ただし、
νｄ１：第１レンズのｄ線に対するアッべ数
νｄ２：第２レンズのｄ線に対するアッべ数
νｄ３：第３レンズのｄ線に対するアッべ数
νｄ４：第４レンズのｄ線に対するアッべ数
【請求項１９】
以下の条件式（１８）を満足することを特徴とする請求項１に記載の撮像レンズ。
（１８）０．４＜｜ｒ７｜／ｆ＜１．５
ただし、
ｒ７：第４レンズの物体側の面の曲率半径